【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
標的の匂いの交差順応を引き起こす物質の選択方法であって、
（１）嗅覚受容体ポリペプチドを探索し、標的の匂いの原因物質に応答するものを同定すること、
（２）該同定された嗅覚受容体ポリペプチドに、該標的の匂いの原因物質とは異なる物質である試験物質を添加して、その応答を測定すること、
（３）該嗅覚受容体ポリペプチドの応答を活性化させた該試験物質を、該標的の匂いの交差順応を引き起こす物質として選択すること、
を含む、方法。
【請求項２】
前記（１）において、前記嗅覚受容体ポリペプチドが、ヒト嗅覚受容体、及びそれとアミノ酸配列において少なくとも８０％同一であって匂い分子の結合によって活性化するポリペプチドである、請求項１記載の方法。
【請求項３】
前記（１）において、前記嗅覚受容体ポリペプチドが、ヒト嗅覚受容体、及びそれとアミノ酸配列において少なくとも９０％同一であって匂い分子の結合によって活性化するポリペプチドである、請求項１記載の方法。
【請求項４】
前記（２）において、前記試験物質を添加する嗅覚受容体ポリペプチドが、該嗅覚受容体ポリペプチドを発現するように遺伝的に操作された組換え細胞上に発現されている、請求項１〜３のいずれか１項記載の方法。
【請求項５】
前記（２）において、前記嗅覚受容体ポリペプチドの応答が、ＥＬＩＳＡ若しくはレポータージーンアッセイによる細胞内ｃＡＭＰ量測定、あるいはカルシウムイメージング、又は電気生理学的手法により測定される、請求項１〜４のいずれか１項記載の方法。
【請求項６】
（４）官能試験により、前記（３）で選択された物質の中から、前記標的の匂いの交差順応を引き起こす物質を選択すること、
をさらに含む、請求項１〜５のいずれか１項記載の方法。
【請求項７】
前記標的の匂いがタバコ臭である、請求項１〜６のいずれか１項記載の方法。
【請求項８】
前記標的の匂いが尿臭である、請求項１〜６のいずれか１項記載の方法。
【請求項９】
標的の匂いを抑制する物質の選択方法であって、
（１）嗅覚受容体ポリペプチドを探索し、標的の匂いの原因物質に応答するものを同定すること、
（２）該同定された嗅覚受容体ポリペプチドに、該標的の匂いの原因物質とは異なる物質である試験物質を添加して、その応答を測定すること、
（３）該嗅覚受容体ポリペプチドの応答を活性化させた該試験物質を、該標的の匂いを抑制する物質として選択すること、
を含む、方法。
【請求項１０】
前記（１）において、前記嗅覚受容体ポリペプチドが、ヒト嗅覚受容体、及びそれとアミノ酸配列において少なくとも８０％同一であって匂い分子の結合によって活性化するポリペプチドである、請求項９記載の方法。
【請求項１１】
前記（１）において、前記嗅覚受容体ポリペプチドが、ヒト嗅覚受容体、及びそれとアミノ酸配列において少なくとも９０％同一であって匂い分子の結合によって活性化するポリペプチドである、請求項９記載の方法。
【請求項１２】
前記（２）において、前記試験物質を添加する嗅覚受容体ポリペプチドが、該嗅覚受容体ポリペプチドを発現するように遺伝的に操作された組換え細胞上に発現されている、請求項９〜１１のいずれか１項記載の方法。
【請求項１３】
前記（２）において、前記嗅覚受容体ポリペプチドの応答が、ＥＬＩＳＡ若しくはレポータージーンアッセイによる細胞内ｃＡＭＰ量測定、あるいはカルシウムイメージング、又は電気生理学的手法により測定される、請求項９〜１２のいずれか１項記載の方法。
【請求項１４】
（４）官能試験により、前記（３）で選択された物質の中から、前記標的の匂いを抑制する物質を選択すること、
をさらに含む、請求項９〜１３のいずれか１項記載の方法。
【請求項１５】
前記標的の匂いがタバコ臭である、請求項９〜１４のいずれか１項記載の方法。
【請求項１６】
前記標的の匂いが尿臭である、請求項９〜１４のいずれか１項記載の方法。
【請求項１７】
標的の匂いの交差順応を引き起こす物質の選択方法であって、
（１）標的の匂いの原因物質に応答する少なくとも１種の嗅覚受容体ポリペプチドを準備すること、
（２）該少なくとも１種の嗅覚受容体ポリペプチドに、該標的の匂いの原因物質とは異なる物質である試験物質を添加して、その応答を測定すること、
（３）該少なくとも１種の嗅覚受容体ポリペプチドのいずれかの応答を活性化させた該試験物質を、該標的の匂いの交差順応を引き起こす物質として選択すること、
を含み、
ここで、
該標的の匂いがタバコ臭であり、かつ該少なくとも１種の嗅覚受容体ポリペプチドが、配列番号４で示されるアミノ酸配列からなるポリペプチド、及び該アミノ酸配列と少なくとも８０％同一であってタバコ臭原因物質に対して応答性を有するポリペプチドからなる群より選択される少なくとも１種であるか、又は
該標的の匂いが尿臭であり、かつ該少なくとも１種の嗅覚受容体ポリペプチドが、配列番号６で示されるアミノ酸配列からなるポリペプチド、及び該アミノ酸配列と少なくとも８０％同一であって尿臭原因物質に対して応答性を有するポリペプチドからなる群より選択される少なくとも１種である、
方法。
【請求項１８】
前記標的の匂いがタバコ臭であり、かつ前記少なくとも１種の嗅覚受容体ポリペプチドが、配列番号４で示されるアミノ酸配列からなるポリペプチド、及び該アミノ酸配列と少なくとも９０％同一であってタバコ臭原因物質に対して応答性を有するポリペプチドからなる群より選択される少なくとも１種であるか、又は
前記標的の匂いが尿臭であり、かつ前記少なくとも１種の嗅覚受容体ポリペプチドが、配列番号６で示されるアミノ酸配列からなるポリペプチド、及び該アミノ酸配列と少なくとも９０％同一であって尿臭原因物質に対して応答性を有するポリペプチドからなる群より選択される少なくとも１種である、
請求項１７記載の方法。
【請求項１９】
前記嗅覚受容体ポリペプチドが、該嗅覚受容体ポリペプチドを発現するように遺伝的に操作された組換え細胞上に発現されている、請求項１７又は１８記載の方法。
【請求項２０】
前記（２）において、前記嗅覚受容体ポリペプチドの応答が、ＥＬＩＳＡ若しくはレポータージーンアッセイによる細胞内ｃＡＭＰ量測定、あるいはカルシウムイメージング、又は電気生理学的手法により測定される、請求項１７〜１９のいずれか１項記載の方法。
【請求項２１】
（４）官能試験により、前記（３）で選択された物質の中から、前記標的の匂いに対して交差順応を起こさせる物質を選択すること、
をさらに含む、請求項１７〜２０のいずれか１項記載の方法。
【請求項２２】
標的の匂いを抑制する物質の選択方法であって、
（１）標的の匂いの原因物質に応答する少なくとも１種の嗅覚受容体ポリペプチドを準備すること、
（２）該少なくとも１種の嗅覚受容体ポリペプチドに、該標的の匂いの原因物質とは異なる物質である試験物質を添加して、その応答を測定すること、
（３）該少なくとも１種の嗅覚受容体ポリペプチドのいずれかの応答を活性化させた該試験物質を、該標的の匂いを抑制する物質として選択すること、
を含み、
ここで、
該標的の匂いがタバコ臭であり、かつ該少なくとも１種の嗅覚受容体ポリペプチドが、配列番号４で示されるアミノ酸配列からなるポリペプチド、及び該アミノ酸配列と少なくとも８０％同一であってタバコ臭原因物質に対して応答性を有するポリペプチドからなる群より選択される少なくとも１種であるか、又は
該標的の匂いが尿臭であり、かつ該少なくとも１種の嗅覚受容体ポリペプチドが、配列番号６で示されるアミノ酸配列からなるポリペプチド、及び該アミノ酸配列と少なくとも８０％同一であって尿臭原因物質に対して応答性を有するポリペプチドからなる群より選択される少なくとも１種である、
方法。
【請求項２３】
前記標的の匂いがタバコ臭であり、かつ前記少なくとも１種の嗅覚受容体ポリペプチドが、配列番号４で示されるアミノ酸配列からなるポリペプチド、及び該アミノ酸配列と少なくとも９０％同一であってタバコ臭原因物質に対して応答性を有するポリペプチドからなる群より選択される少なくとも１種であるか、又は
前記標的の匂いが尿臭であり、かつ前記少なくとも１種の嗅覚受容体ポリペプチドが、配列番号６で示されるアミノ酸配列からなるポリペプチド、及び該アミノ酸配列と少なくとも９０％同一であって尿臭原因物質に対して応答性を有するポリペプチドからなる群より選択される少なくとも１種である、
請求項２２記載の方法。
【請求項２４】
前記嗅覚受容体ポリペプチドが、該嗅覚受容体ポリペプチドを発現するように遺伝的に操作された組換え細胞上に発現されている、請求項２２又は２３記載の方法。
【請求項２５】
前記（２）において、前記嗅覚受容体ポリペプチドの応答が、ＥＬＩＳＡ若しくはレポータージーンアッセイによる細胞内ｃＡＭＰ量測定、あるいはカルシウムイメージング、又は電気生理学的手法により測定される、請求項２２〜２４のいずれか１項記載の方法。
【請求項２６】
（４）官能試験により、前記（３）で選択された物質の中から、前記標的の匂いを抑制する物質を選択すること、
をさらに含む、請求項２２〜２５のいずれか１項記載の方法。